(57)【要約】      （修正有）【課題】工事現場において、軽量鉄骨の墨出しを容易にする軽量鉄骨用墨出しプレートを提供する。【解決手段】所定の幅を隔てて対向する二つの直線部１ａ、１ｂを有し、所定の長さを備えるベースプレート１と、該ベースプレート１の一方側には所定幅を隔てた二つの直線部１ａ、１ｂよりも幅広の直線部２ａ、２ｂを備えた拡張部２を備えるとともに、ベースプレート１の中心線上で所定距離を隔てた位置にくの字状部分を有する開口部４、５が形成されている。また、拡張部２は、その一部がベースプレート１の直線部１ａ、１ｂに対して折り曲げ自在にヒンジ結合する。【選択図】図１
0003225274.tif 000002
【実用新案登録請求の範囲】
【請求項１】
所定の幅を隔てて対向する二つの直線部を有し、所定の長さを備えるベースプレートと、該ベースプレートの一方側には前記所定幅を隔てた二つの直線部よりも幅広の直線部を備えた拡張部を備えるとともに、前記ベースプレートの中心線上で所定距離を隔てた位置にくの字状部分を有する開口部が形成されていることを特徴とする軽量鉄骨用墨出しプレート。
【請求項２】
前記拡張部は、その一部が前記ベースプレートの直線部に対して折り曲げ自在にヒンジ結合されていることを特徴とする請求項１記載の軽量鉄骨用墨出しプレート
【考案の詳細な説明】
【技術分野】
【０００１】
本考案は、工事現場において軽量鉄骨の墨出しを容易にするプレートである。
【背景技術】
【０００２】
工事現場等においては、軽量鉄骨の芯墨叉は仕上げ墨からランナーのポイント又は仕上げポイントを決めるときに、スケール又は差し金を用いていた。
【考案の概要】
【考案が解決しようとする課題】
【０００３】
ランナーのポイント又は仕上げポイントを出すのに、従来のスケール又は差し金を用いる方法だと、その都度スケール又は差し金の数字を追わねばならない。それは、正確性にも欠けるし手間もかかる。よって、より簡便な方法が要求される。
【課題を解決するための手段】
【０００４】
所定の幅を隔てて対向する二つの直線部を有し、所定の長さを備えるベースプレートと、該ベースプレートの一方側には前記所定幅を隔てた二つの直線部よりも幅広の直線部を備えた拡張部を備えるとともに、前記ベースプレートの中心線上で所定距離を隔てた位置にくの字状部分を有する開口部が形成されている。また、前記拡張部は、その一部が前記ベースプレートの直線部に対して折り曲げ自在にヒンジ結合することを特徴とする。
【考案の効果】
【０００５】
本考案による軽量鉄骨用墨出しプレートを使用すれば、従来の方法よりも、簡単に墨出しができて、しかも正確に墨出しができる。また、スケールなどの目盛りを読む必要がないため、薄暗い場所でもポイント出しが確実に出来るようになる。
【図面の簡単な説明】
【０００６】
【図１】（Ａ）は軽量鉄骨用墨出しプレートの平面図、（Ｂ）は側面図
【図２】仕上げ材両面使用時の軽量鉄骨用墨出しプレートによるポイント出しの説明図
【図３】上記図２によって得られたポイントから墨を引く説明図
【図４】仕上げ材片面使用時の軽量鉄骨用墨出しプレートによるポイント出しの説明図
【図５】上記図４によって得られたポイントから墨を引く説明図
【図６】仕上げ材両面使用時の軽量鉄骨用墨出しプレートを使用した使用例の斜視図
【図７】仕上げ材片面使用時の軽量鉄骨用墨出しプレートを使用した使用例の斜視図
【考案を実施するための形態】
【０００７】
所定の幅を隔てて対向する二つの直線部を有し、所定の長さを備えるベースプレートと、該ベースプレートの一方側には前記所定幅を隔てた二つの直線部よりも幅広の直線部を備えた拡張部を備えることとした。前記の所定の幅１ａ―１ｂは軽量鉄骨ランナーの幅となるようにし、拡張部の幅１ａ―２ａ及び１ｂ―２ｂは、それぞれ仕上げ材の幅とする。また、前記ベースプレートの中心線上で所定距離を隔てた位置にくの字状部分を有する開口部が形成されているとともに、前記拡張部は、その一部が前記ベースプレートの直線部に対して折り曲げ自在にヒンジ結合することを特徴とする。
【実施例】
【０００８】
以下、添付図面に従って実施例を説明する。軽量鉄骨用墨出しプレートは、例えばプラスチック等耐久性を有する素材にて形成されており、所定の幅を隔てて対向する二つの直線部１ａ及び１ｂを有し、所定の長さを有する平板状のベースプレート１と、この図面上の右側には、前記二つの直線部より幅広の同じ距離を隔てた直線部２ａ及び２ｂを有する拡張部とから構成されている。
【０００９】
前記ベースプレート１の拡張部２は、ヒンジピン３にてベースプレート１に角度が可変となるように取り付けられている。つまり、ベースプレートの直線部に対して折り曲げ自在にヒンジ結合されているものである。
【００１０】
前記ベースプレート１には、その長手方向の中心線Ｘ上に、長手方向で所定距離を隔てた位置にくの字状部分を有する開口部４が二か所形成されている。なお、この二か所の開口部４は、少なくともくの字状の部分があればよく、くの字状部の開口部でなく菱形の開口部としても良いものである。要は、くの字状部分あるいは菱形の角部が中心線Ｘ上に位置しておれば良いものである。
【００１１】
前記ベースプレート１の拡張部の図面下部にもくの字状部分を有する開口部５が設けられているが、その頂点７は、直線部１ｂの延長線上にあり、直線Ｙを引く時の予備のポイント出しに使用する。
【００１２】
次に、仕上げ材両面使用時の本考案の使用例について説明する。
床にあらかじめ引かれている芯墨上に、本考案のくの字状部分を有する開口部４の頂点６の二か所を位置合わせして載せ、芯墨がＸ線上に来るようにする(図１参照) 。上記の状態で、ランナーポイント１ａ及び１ｂ、仕上げ材ポイント２ａ及び２ｂの印をつける(図２参照) 。上記のポイントをつなげることによって、ランナー墨８ａ及び８ｂ、仕上げ材の墨９ａ及び９ｂを引く(図３参照) 。上記の二本のランナー墨８ａ―８ｂ間にランナー１０を固定し、スタッド１１を建て、仕上げ材１２を両面取り付ける(図６参照) 。
【００１３】
次に、仕上げ材片面使用時の本考案の使用例について説明する。まず、ヒンジピンにて取り付けられている拡張プレート２は不要のため跳ね上げ、この部分は使用しない(図１のＢ及び図４参照) 。床にあらかじめ引かれている芯墨上に、本考案のくの字状部分を有する開口部４の頂点６の二か所を位置合わせして載せ、芯墨がＸ線上に来るようにする(図４参照) 。上記の状態で、ランナーポイント１ａ及び１ｂ、仕上げ材ポイント２ｂの印をつける(図４参照) 。上記のポイントをつなげることによって、ランナー墨８ａ及び８ｂ、仕上げ材の墨９ｂを引く(図５参照) 。上記の二本のランナー墨８ａ―８ｂ間にランナー１０を固定し、スタッド１１を建て、仕上げ材１２を片面取り付ける(図７参照) 。
【産業上の利用可能性】
【００１４】
内装工事にて軽量鉄骨を使用する場面は多く、効率的且つ正確な施工が必要とされている。よって、本考案の軽量鉄骨用墨出しプレートの利用価値は高いものと思われる。
【符号の説明】
【００１５】
１        ベースプレート
１ａ，１ｂ    直線部
２        拡張部  
２ａ，２ｂ    拡張部の直線部
３        ヒンジピン
４，５    くの字状部分を有する開口部
６        ランナーの芯墨ポイント
７        ランナー墨ポイント
８ａ，８ｂ  ランナー墨
９ａ，９ｂ  仕上げ材の墨
１０      ランナー
１１      スタッド
１２      仕上げ材
Ｘ        ランナー芯のライン
Ｙ        ランナーの側面ライン
【図１】
0003225274.tif 000003
【図２】
0003225274.tif 000004
【図３】
0003225274.tif 000005
【図４】
0003225274.tif 000006
【図５】
0003225274.tif 000007
【図６】
0003225274.tif 000008
【図７】
0003225274.tif 000009